(57)【要約】      （修正有）【課題】デジタル無線通信におけるデジタルコードスケルチ受信機に関し、既定のビット数まで受信コードを受信し、自局コードと比較して、誤りが既定のビット数以内になるまでビットシフトを繰り返す。【解決手段】一定の周期でデジタルコードを搬送波に重畳してデジタルコードが一致してから復調を開始するデジタル無線通信機において、符号設定部２０と、符号カウント部と、受信符号部２２と、受信符号カウント部と、誤りビット数保持部２６と、回数記憶部と、を備え、前記符号カウント部と前記受信符号カウント部のビット数を比較してその結果が一致したら、前記符号設定部２０と前記受信符号部２２を比較することを特徴としたデジタルコードスケルチ受信機。【選択図】図１
2011188366.tif 000002
【特許請求の範囲】
【請求項１】
一定の周期でデジタルコードを搬送波に重畳してデジタルコードが一致してから復調を開始するデジタル無線通信機において、
予めデジタルコードを設定しておく符号設定部と、
前記符号設定部のビット数を保持しておく符号カウント部と、
デジタルコードを記憶する受信符号部と、
前記受信符号部のビット数をカウントする受信符号カウント部と、
予め誤りビット数を設定しておく誤りビット数保持部と、
前記符号カウント部のビット数を回数として記憶する回数記憶部と、
を備え、
前記符号カウント部と前記受信符号カウント部のビット数を比較してその結果が一致したら、前記符号設定部と前記受信符号部を比較することを特徴としたデジタルコードスケルチ受信機。
【請求項２】
前記符号設定部と前記受信符号部を比較した結果が、前記誤りビット数保持部のビット数以内であれば、デジタルコードが一致したとみなして受信できることを特徴とした請求項１記載のデジタルコードスケルチ受信機。
【請求項３】
前記符号設定部と前記受信符号部を比較した結果が、前記誤りビット数保持部のビット数を超えた時は、前記回数記憶部に記憶した回数になるまで前記受信符号部を１ビットシフトしてから前記符号設定部と比較することを特徴とした請求項１記載のデジタルコードスケルチ受信機。
【請求項４】
前記ビットシフト部に予め設定したシフト回数までビットシフトが行われても前記符号設定部と前記受信符号設定部を比較した結果が一致しないときは、前記受信符号部を１ビットシフトしてデジタルコードを１ビット受信しなおすことを特徴とした請求項３記載のデジタルコードスケルチ受信機。
【発明の詳細な説明】
【技術分野】
【０００１】
本発明は、デジタル無線通信におけるデジタルコードスケルチ（Ｄｉｇｉｔａｌ  Ｃｏｄｅ  Ｓｑｕｅｌｃｈ）受信機に関し、特に受信したデジタルコードが予め設定したビットまで誤っていても検出ありと判断する受信機に関する。
【背景技術】
【０００２】
デジタルコードは搬送波とは別の音声帯域以下の周波数（３００Ｈｚ以下）を使用して、２値の周波数を切り換えて搬送波に重畳させている。
【０００３】
予め自局のデジタルコードを設定しておく自局コードと受信した搬送波から抽出したデジタルコードである受信コードが同一の場合に限り、スケルチを開いて音響装置から音声を受信できる機能が業務用無線通信などで広く利用されている。
【０００４】
また、自局コードと受信コードが一致しない場合はスケルチが開かないので、音響装置から音声は聞こえてこない。
【０００５】
そのため、受信信号の復調は、受信コードの最初のエッジから順番にデジタルコードを取り込んでいき、その取り込んだ受信コードと自局コードを比較していた（特許文献１）。
【先行技術文献】
【特許文献】
【０００６】
【特許文献１】特許−３３２０６２９号公報
【発明の概要】
【発明が解決しようとする課題】
【０００７】
しかし、上述した従来例には次のような問題があった。
【０００８】
特許文献１の手段によると、受信コードのビットパターンの最初のエッジ変化でビット誤りがおきると、受信コードと自局コードが一致しないため、デジタルコードを最初から取り直す必要があった。
【０００９】
本発明は、デジタルコードの受信位置に限定することなしに予め決められたビット数の受信コードを受信すると、その比較した結果が予め設定したビット数以内の誤りであれば受信コードと自局コードを同一とみなし、一致しない場合は前記受信コードをビットシフトして自局コードに一致するまで予め設定した回数分ビットシフトをして一致した場合は受信信号を復調できることを目的とする。
【課題を解決するための手段】
【００１０】
本発明は、上記目的を達成するために、既定のビット数まで受信コードを受信し、自局コードと比較する。
【００１１】
また、本発明は、受信コードの誤りが既定のビット数以内であれば、受信コードと自局コードを同一とみなし、受信信号の復調を開始する。
【００１２】
さらに、自局コードと受信コードを比較して誤りが既定のビット数以内になるまで前記自局コードのビット数まで受信コードを１ビットシフトして比較する。
【００１３】
その上、既定のビット数までビットシフトが行われても自局コードと受信コードが一致しないときは、受信コードを１ビットシフトしてデジタルコードを１ビット受信しなおす。
【発明の効果】
【００１４】
上記のように構成された本発明の方法によれば、受信コードのどのビットに誤りがあっても予め設定したビット数までの誤りであれば復調できる。
【図面の簡単な説明】
【００１５】
【図１】本発明に係わるデジタルコードスケルチ受信機の例を説明する図である。
【図２】受信コードと自局コードを比較する方法に関するフローチャート図である。
【図３】３ビットまでの誤りを検出する方法に関するフローチャート図である。
【発明を実施するための形態】
【００１６】
図１に示すように、本発明の構成は、信号を受信する受信部１、受信した信号を記憶しておくメモリ２、メモリ２の内部に、自局コードと前記自局コードのビット長を記憶しておく設定部２０、受信コードと受信に必要なビット数と受信コードのシフトをカウントを記憶する受信符号部２２、前記設定部２０と前記受信符号部２２を比較して判定する比較判定部２４、受信コードの誤りを許容するビット数を保持する誤りビット数保持部２６を持つ。
【００１７】
なお、メモリ２の内部に設定部２０、受信符号部２２、比較判定部２４、誤りビット数保持部２６を持つ構成としているが、これに限定するものではない。
【００１８】
（実施例１）
図２に、受信コードと自局コードを比較する方法に関するフローチャートを示し、処理の流れを説明する。
【００１９】
図示していないアンテナで高周波信号を受信して受信部１で搬送波に重畳されたデジタルコードを分離したら、デジタルコードだけを受信符号部へ送る（Ｓ２０１）。
【００２０】
設定部２０と受信符号部２２のビット数を比較判定部２４で比較する（Ｓ２０２）。
【００２１】
設定部２０と受信符号部２２のビット数が一致しないときは、Ｓ２０２へ戻る。
【００２２】
設定部２０と受信符号部２２の受信ビット数が一致したら、設定部２０に予め設定されている符号と受信符号部２２で受信した受信データを比較判定部２４で比較する（Ｓ２０３）。
【００２３】
Ｓ２０３で比較した結果が３ビット以内であれば、自局コードと受信コードが一致したことを受信部１に伝えて図示していないスケルチを開いて受信を開始する（Ｓ２０４）。
【００２４】
受信コードを１ビットシフトする（Ｓ２０５）。
【００２５】
シフトカウンタのカウント数と予め設定してある設定値を比較（Ｓ２０６）し、Ｓ２０６で比較した結果、シフトカウンタの数が大きいときは終了する。
【００２６】
シフトカウンタの方が同じか小さいときは、シフトカウンタに１を足して、Ｓ２０３に戻る（Ｓ２０７）。
【００２７】
なお、シフトカウンタは、開始時または終了時にリセットしておくことは言うまでも無い。
【００２８】
（実施例２）
次に、比較判定部２４で予め決められたビット数が３ビットまでの誤りを判定する場合についてのフローチャートを図３に示し、処理の流れを説明する。
【００２９】
受信符号部２２の受信信号と設定部２４に予め設定してあるデジタル符号とで排他的論理和（Ｅｘｃｌｕｓｉｖｅ  ＯＲ）を取る（Ｓ３０１）。
【００３０】
Ｓ３０１で出た結果をシリアルデータに変換する（Ｓ３０２）。
【００３１】
シリアルデータの和を取っていき（Ｓ３０３）、和の結果が３以下なら受信データは正しいと判断（Ｓ３０４）し、計算中に和が３を超えたら受信データは誤りと判断して和の演算を中止する（Ｓ３０５）。
【００３２】
なお、受信符号部２２と設定部２０のデジタルコードの演算を、排他的論理和を取ってからシリアルデータに変換し、変換した結果の和を取るとしたが、この方法に限定されるものではない。
【００３３】
なお、ここでは和の結果を３以下なら正しいとしたが、予め決められたビット数のデータ長に変更することができるのは言うまでもない。
【符号の説明】
【００３４】
１    受信部
２    メモリ
２０  設定部
２２  受信符号部
２４  比較判定部
２６  誤りビット数保持部
【図１】
2011188366.tif 000003
【図２】
2011188366.tif 000004
【図３】
2011188366.tif 000005